(57)【要約】  天然まつ毛に繊維を追加するための美容処理方法であって、  ａ）  前記まつ毛の少なくとも一部に接着剤組成物（Ａ）を塗布するステップと、  ｂ）  アプリケータ（１０）によって支えられた繊維（１２）を、前記まつ毛上にある前記接着剤組成物（Ａ）と接触させるステップと、  ｃ）  前記まつ毛に接着する繊維（１２）を外すために、前記アプリケータ（１０）を前記まつ毛から離すステップとを含む、方法。
2020525663.tif 000002
【特許請求の範囲】
【請求項１】
天然のまつ毛に繊維を追加するための美容処理方法であって、
ａ）  前記まつ毛の少なくとも一部に接着剤組成物（Ａ）を塗布するステップと、
ｂ）  アプリケータ（１０）によって支えられた繊維（１２）を、前記まつ毛上にある前記接着剤組成物（Ａ）と接触させるステップと、
ｃ）  前記まつ毛に接着する繊維（１２）を外すために、前記アプリケータ（１０）を前記まつ毛から離すステップと
を含む、方法。
【請求項２】
前記接着剤組成物（Ａ）が、ステップａ）において、連続的または不連続的に前記まつ毛の前記少なくとも一部に塗布される、請求項１に記載の方法。
【請求項３】
前記接着剤組成物（Ａ）が、ステップａ）において、好ましくは前記まつ毛の根元から、約０．１ｍｍ〜約１０ｍｍ、より良くは０．５ｍｍ〜１０ｍｍ、さらに良くは１ｍｍ〜５ｍｍの範囲の前記まつ毛の長さにわたって、前記まつ毛に塗布される、請求項１または２に記載の方法。
【請求項４】
ステップｂ）が、繊維（１２）を前記まつ毛と接触させることによって行われ、前記繊維（１２）が、前記まつ毛に実質的に平行である、請求項１から３のいずれか一項に記載の方法。
【請求項５】
ステップｂ）が、繊維（１２）をまつ毛の上の房毛（Ｆ１）の上面部分または下側部分と接触させることによって行われる、請求項１から４のいずれか一項に記載の方法。
【請求項６】
ステップｂ）が、前記接着剤組成物によって処理された、まつ毛の前記上の房毛（Ｆ１）の同じ部分と繊維（１２）を接触させることによって行われる、請求項５に記載の方法。
【請求項７】
ステップｂ）が、繊維（１２）をまつ毛の前記上の房毛（Ｆ１）の前記上面部分と接触させることによって行われる、請求項５または６に記載の方法。
【請求項８】
前記繊維（１２）が前記接着剤組成物（Ａ）に触れるまで、前記アプリケータ（１０）が、接線方向の移動で前記まつ毛に近づけられる、請求項１から７のいずれか一項に記載の方法。
【請求項９】
前記繊維（１２）が、前記アプリケータ（１０）上に繊維の束として配置される、請求項１から８のいずれか一項に記載の方法。
【請求項１０】
前記繊維（１２）が、前記アプリケータ（１０）上で互いに実質的に平行である、請求項１から９のいずれか一項に記載の方法。
【請求項１１】
前記繊維（１２）が、前記アプリケータ（１０）によって支えられるとき、前記アプリケータによる以外、互いにつながっていない、請求項１から１０のいずれか一項に記載の方法。
【請求項１２】
天然のまつ毛に繊維（１２）を追加する美容処理のための、詳細には請求項１から１１のいずれか一項において定義される方法を実施するための、アセンブリであって、
−  前記まつ毛に塗布される接着剤組成物（Ａ）と、
−  外すことができる繊維（１２）を留めるアプリケータ（１０）であって、繊維が組成物に接着できるように前記まつ毛に塗布された前記接着剤組成物と前記繊維を接触させること、および繊維を外すことを可能にする、アプリケータ（１０）と
を含む、アセンブリ。
【請求項１３】
前記アプリケータ（１０）が、互いに色が異なる繊維（１２）の混合を留める、請求項１２に記載のアセンブリ。
【請求項１４】
前記接着剤組成物（Ａ）を前記まつ毛に塗布するための接着剤アプリケータ（１６）を含む、請求項１２または１３に記載のアセンブリ。
【請求項１５】
前記接着剤アプリケータ（１６）が、植毛加工された末端部分を含む、請求項１４に記載のアセンブリ。
【請求項１６】
前記アプリケータ（１０）が、互いに対して移動できる１つまたは複数の部分を含む機械システムを含み、前記機械システムが、繊維を留める構成から繊維を外す構成に移るように構成される、請求項１２から１５のいずれか一項に記載のアセンブリ。
【請求項１７】
前記機械システムが、それのコイル（３１）の間に前記繊維（１２）をつかむばね（３０）を含む、請求項１６に記載のアセンブリ。
【請求項１８】
前記ばね（３０）が、手動で操作される作動レバー（４２、４３）に取り付けられた末端部（３７、３８）を含む、請求項１７に記載のアセンブリ。
【請求項１９】
前記ばね（３０）が、前記アプリケータ（１０）の縦軸（Ｘ）である前記ばね（３０）の縦軸（Ｘ）に沿って圧縮され、またはゆるめられ、前記アプリケータ（１０）が好ましくはプッシュボタン（３４）と、ばね（３０）の両末端部（３７、３８）近くの２つのアバットメント（３５、３６）とを有し、一方のアバットメント（３５）が、前記プッシュボタン（３４）を作動させると前記縦軸（Ｘ）に沿って移動可能であり、他方のアバットメント（３６）が動かない、請求項１７または１８に記載のアセンブリ。
【請求項２０】
前記接着剤組成物（Ａ）が、感圧接着剤の中から選ばれた接着材料を含む、またはこれで構成される、請求項１２から１９のいずれか一項に記載のアセンブリ。
【請求項２１】
前記接着剤組成物（Ａ）が、アクリルポリマーまたはコポリマーの中から選ばれた接着材料を含む、またはこれで構成される、請求項１２から２０のいずれか一項に記載のアセンブリ。
【請求項２２】
前記接着剤組成物（Ａ）が、Ａｍｅｒｉｃａｎ  Ｉｎｔｅｒｎａｔｉｏｎａｌ  Ｉｎｄｕｓｔｒｉｅｓによって商品化された、ＤＵＯ（登録商標）と呼ばれるまつ毛用の前記接着剤組成物、およびＤＡＩＴＯ  ＫＡＳＥＩ  ＫＯＧＹＯ製のＤａｉｔｏｓｏｌ  ５５００  ＧＭの中から選ばれる、請求項１２から２１のいずれか一項に記載のアセンブリ。
【発明の詳細な説明】
【技術分野】
【０００１】
本発明は、天然まつ毛に繊維を追加するための美容処理方法および対応するアセンブリに関する。
【背景技術】
【０００２】
天然まつ毛の長さ、厚み、および豊かさを増強するために、まつ毛エクステンションおよびつけまつ毛が使用される。
【０００３】
まつ毛エクステンションをつけるいくつかの方法が、行われる場合がある。主な方法は、エクステンションを形成する繊維をまつ毛ラインに１本ずつ個々に接着させ、それによって繊維が互いにくっつくことを防止するものである。まつ毛エクステンションは、約３〜４週間とどまり得る。
【０００４】
つけまつ毛は、一般的に、１、２日というより短い期間の間装着されるように設計される。つけまつ毛は一般的に、繊維の帯（ｓｔｒｉｐ）として提示される。つけまつ毛をつけるために、帯は、帯のベースか、直接まつ毛の根元のいずれかに接着剤を塗布した後、まつ毛の根元に接着される。
【０００５】
まつ毛エクステンションをつけることは、専門家によって行われる必要があり、かなりの費用を要し、通常１〜２時間かかる。
【０００６】
まつ毛エクステンションまたはつけまつ毛の別の不都合な点は、それらが無菌ではなく、感染症につながる可能性があることである。
【０００７】
特許文献１は、つけまつ毛の品質、外観、および完全性を維持するためにつけまつ毛との接触が最小限に抑えられる、少なくとも１つのつけまつ毛用のパッケージングを提供する。
【先行技術文献】
【特許文献】
【０００８】
【特許文献１】米国公開特許第２０１６／０２６４３３４号
【特許文献２】国際公開特許第０４／０５５０８１号
【特許文献３】国際公開特許第２０１５／０９１５１３号
【発明の概要】
【発明が解決しようとする課題】
【０００９】
迅速、容易に、かつ可能な場合は自身に行うことができる、天然まつ毛に補足繊維を追加することによるまつ毛の美容処理の方法から恩恵を受ける必要がある。
【課題を解決するための手段】
【００１０】
美容処理方法
本発明は、この要求に応えることを目標とし、天然まつ毛に繊維を追加するための美容処理方法によってこれを達成し、この方法は、
ａ）  まつ毛の少なくとも一部に接着剤組成物を塗布するステップと、
ｂ）  アプリケータによって支えられた繊維を、上記まつ毛上にある上記接着剤組成物と接触させるステップと、
ｃ）  上記まつ毛に接着する繊維を外すために、アプリケータをまつ毛から離すステップと
を含む。
【００１１】
本発明による方法は、まつ毛と繊維が美しく揃ったまつ毛エクステンション効果を作り出すことを可能にする。この方法は、研究所または自宅で実施されてもよい。多くの繊維は、容易な仕草で、たとえば、１分以上の場合、１０分未満の時間で、まつ毛につけられてもよい。
【００１２】
本発明では、「天然まつ毛」および「まつ毛」は、いずれも天然まつ毛を示すために使用される。
【００１３】
「接着剤」組成物は、長持ちする接着強度の有無にかかわらず、剥ぎ取られないよう耐えることができるどんな材料も示す。
【００１４】
繊維は、ステップｂ）においてアプリケータ上に留められ、繊維は外すことができる。
【００１５】
まつ毛に追加される繊維の密度は、たとえば、より大きいまたはより小さい密度の繊維をアプリケータに用意することによって調整されてもよく、したがって、まつ毛に移した後の繊維の密度に影響を与える。アプリケータ上の繊維の密度は、１０〜４００００ｆｉｂｅｒｓ／ｃｍ２、より好ましくは２０〜２００００ｆｉｂｅｒｓ／ｃｍ２、より好ましくは５０〜１００００ｆｉｂｅｒｓ／ｃｍ２、さらに好ましくは７５〜１０００ｆｉｂｅｒｓ／ｃｍ２、特に１００〜５００ｆｉｂｅｒｓ／ｃｍ２、たとえば、約２００ｆｉｂｅｒｓ／ｃｍ２のように、１５０〜３００ｆｉｂｅｒｓ／ｃｍ２であってもよい。この密度は、必ずしも均一であるとは限らず、変動してもよい。繊維の根元で測定された、「平均距離」とも呼ばれる、アプリケータ上の２つの隣接する繊維間の間隔は、好ましくは１０μｍ〜２５０μｍであり、各繊維が好ましくはこの測定において円形状を有し、測定距離は最短距離であり、平均距離はすべての距離の平均として計算される。
【００１６】
接着剤組成物は、ステップａ）において、連続的または不連続的にまつ毛の上記少なくとも一部に塗布されてもよい。接着剤組成物は、ステップａ）において、好ましくはまつ毛の根元から、約０．１ｍｍ〜約１０ｍｍ、より良くは０．５ｍｍ〜１０ｍｍ、さらに良くは１ｍｍ〜５ｍｍの範囲のまつ毛の長さにわたって、まつ毛に塗布されてもよい。ステップａ）において接着剤組成物が塗布される繊維の長さは、（まつ毛の自然長の）１００％、より良くはまつ毛の自然長の１〜７０％の範囲、さらに良くはまつ毛の自然長の５〜３０％の範囲であってもよい。まつ毛の一部は、接着剤組成物によって覆われていなくてもよい。接着剤組成物によって覆われるまつ毛の長さは、すべてのまつ毛に対して同一でなくてもよい。
【００１７】
ステップｂ）は、繊維をまつ毛と接触させることによって行われてもよく、繊維はまつ毛と実質的に平行である。ステップｂ）は、まつ毛の上の房毛の上面または下側部分と繊維を接触させることによって行われてもよい。ステップｂ）は、好ましくは、接着剤組成物によって処理された、まつ毛の上の房毛の同じ部分と繊維を接触させることによって行われる。これは、接着剤組成物が上の房毛の上面部分に塗布される場合、繊維もまた、好ましくは上の房毛の上面部分と接触させることを意味する。接着剤組成物が上の房毛の下側部分に塗布される場合、繊維もまた、好ましくは上の房毛の下側部分と接触させる。好ましい実施形態では、ステップｂ）は、繊維をまつ毛の上の房毛の上面部分と接触させることによって行われる。
【００１８】
このアプリケータは、繊維が接着剤組成物に触れるまで、接線方向の移動でまつ毛に近づけられてもよい。この「接線方向の移動」は、「軽く触れる移動（ｇｒａｚｉｎｇ  ｍｏｖｅｍｅｎｔ）」と限定される場合もある。
【００１９】
繊維をアプリケータに保持するための保持力は、有利には、上記まつ毛にある接着剤組成物に繊維を接着するための接着力よりも低い。
【００２０】
接着剤組成物に繊維を接着するための接着力は、好ましくは、アプリケータに繊維を保持するための保持力の少なくとも２倍である。これは、繊維がアプリケータから適切に分離することを保証することを可能にする。繊維をアプリケータから外すために繊維に加えられる力は、１５ｍＮ以下であってもよい。
【００２１】
繊維は、有利には、根元または根元部分とも呼ばれる第１の末端部分と、第２の末端部分とを示し、繊維は、第１の末端部分でアプリケータによって支えられ、第２の末端部分は自由末端部分である。
アセンブリ
【００２２】
本発明はまた、天然まつ毛に繊維を追加する美容処理のための、詳細には上記で定義した方法を実施するためのアセンブリに関し、このアセンブリは、
−  まつ毛に塗布される接着剤組成物と、
−  外すことができる繊維を留めるアプリケータであって、繊維が上記組成物に接着できるように、まつ毛に塗布された接着剤組成物と繊維を接触させること、および繊維を外すことを可能にするアプリケータと
を含む。
【００２３】
本発明による方法および／またはアセンブリでは、繊維は、所望の結果に応じて、アプリケータ上に様々な方法で置かれてもよい。繊維は、たとえば、アプリケータ上に繊維の束として配置される。繊維は、アプリケータ上で互いに実質的に平行であってもよい。繊維は、つけまつ毛の弓形の少なくとも一部の形状でアプリケータ上に配置されてもよい。繊維の根元は、アプリケータ上で、面内または面外のいずれかの湾曲に従ってもよい。
【００２４】
繊維は、アプリケータの支持面と垂直に向けられてもよく、またはこの面に対する垂線と角度を作ってもよく、詳細には４５°までの範囲の角度を作ってもよい。
【００２５】
繊維は、アプリケータによって支えられるとき、アプリケータによる以外、互いにつながっていなくてもよい。そのような場合、繊維は、個々の分離した繊維である。繊維は、帯または房状にまとめられなくてもよい。
【００２６】
繊維は、結合もしくは摩擦によって、または互いに対して移動できる１つもしくは複数の部品を含む機械システムによって、アプリケータ上に留められてもよく、機械システムは、繊維を留める構成から繊維を外す構成に移ることができ、アプリケータから外すためにこれらの繊維に加えられる力は、外す構成よりも留める構成においてより大きい。機械システムは、たとえば、留める構成でそれのコイルの間に繊維をつかむばねを含み、ばねは、コイルを開き、繊維を外すために伸ばすことができる。繊維は、ばねのコイルの間に留められてもよく、繊維は、ばねの縦軸に対して実質的に垂直である。ばねは、留める構成と外す構成との間で手動で操作されてもよい。ばねは、手動で操作される作動レバーに取り付けられた末端部を含んでもよい。代替的に、ばねは、アプリケータの縦軸であるばねの縦軸に沿って圧縮され、またはゆるめられ、アプリケータは、たとえば、プッシュボタンと、ばねの両末端部近くの２つのアバットメントとを有し、一方のアバットメントは好ましくはプッシュボタンを作動させるとき縦軸に沿って移動可能であり、他方のアバットメントは好ましくは動かない。
【００２７】
繊維は、少なくとも１つの材料によってアプリケータ上に留められてもよく、その機械的強度は、刺激によって下げられ、方法は、繊維をアプリケータから外すために繊維に加えられる力を低減するために、アプリケータに上記刺激を受けさせるステップを含み、刺激にさらすことは、まつ毛にある接着剤組成物と繊維が接触する前および／または間に行われる。この解決策は、使用者が警戒することなくシステムを使用できるようにしながら、所望のメークアップ結果を得るので特に有利である。第２の利点は、配送までの製造の分野にある。刺激は、たとえば熱によるものであり、その場合上記材料は好ましくは、ワックス、詳細には蜜蝋、カンデリラ蝋、またはパラフィン蝋を含む。変形態として、刺激は、化学作用によるものであり、アプリケータを上記材料の溶剤、好ましくは水にさらすことを含む。
【００２８】
繊維は、静電植毛法によってアプリケータ上に配置されてもよく、または機械システムによって置かれてもよい。
【００２９】
繊維は、方法の実施中に、アプリケータから完全に分離してもよい。変形態では、繊維は、アプリケータによって捕らえられたままの第１の末端部分にあるベースと、外される、外すことができる部分とを含んでもよい。この場合、繊維は、機械的に弱くされた、または機械的に弱くすることを可能にする刺激、詳細には熱もしくは化学的刺激に反応する、あらかじめ定義された領域を含んでもよく、外すことができる部分の根元からの分離を引き起こすために加えられる力は、外すことができる部分を接着剤組成物に接着するための接着力よりも低い。あらかじめ定義された領域は、すべての繊維に対して繊維の長さ上の同じ位置にあってもよい。変形態として、そうではなく、外した後に、可変長の繊維を有することを可能にし、まつ毛に異なる美的効果を与えてもよい。
【００３０】
繊維は、複数の保持システムによってアプリケータ上に留められてもよく、この複数の保持システムは、接着剤組成物に繊維を接着するための接着力よりも低い、加えられた力に対して繊維を外す第１の保持システムと、第１と結合されるとき、繊維を接着剤組成物に接着するための接着力よりも大きい力まで繊維を留めることを保証する第２の保持システムとを含み、第２のシステムは、繊維を外すことを引き起こすために加えられる力を、接着剤組成物に繊維を接着するための接着力よりも低い値にするように、接着剤組成物に繊維をつけるためにアプリケータを使用中に変更される。変更形態は、第２の保持システムを熱または化学的刺激にさらすことを含んでもよい。
【００３１】
本発明はまた、上記で定義したアセンブリのためのアプリケータに関し、このアプリケータは、１５ｍＮに等しい、さらには２０ｍＮに等しい張力がアプリケータに加えられるとき、アプリケータから分離する、外すことができる繊維を留める。
繊維
【００３２】
「繊維」という用語は、本発明によれば、ＬがＤよりも大きく、好ましくはＤよりもはるかに大きいような、長さＬおよび直径Ｄの物体を意味すると理解されるべきであり、Ｄは繊維の断面を内接させる円の直径である。詳細には、Ｌ／Ｄ比（またはアスペクト比）は、３．５〜２５００、好ましくは１０〜１０００、さらに良くは２０〜５００の範囲で選ばれる。
【００３３】
本発明で使用することができる繊維は、合成または天然、および鉱物または有機由来の繊維であってもよい。繊維は、短くても長くても、個別でも組織化されていても、たとえば編まれていてもよく、中空でも中実であってもよい。繊維は、任意の形状を有してもよく、たとえば、湾曲していても、真っ直ぐであってもよい。繊維は、特に円形または多角形（四角形、六角形、もしくは八角形）の断面を有してもよい。詳細には、繊維の末端部は、損傷を防ぐために鈍らせても、および／または滑らかにしてもよい。
【００３４】
詳細には、繊維は、０．５ｍｍ〜２０ｍｍの範囲の長さを有してもよい。
【００３５】
繊維の断面は、２０μｍ〜１５０μｍ、３０μｍ〜１２０μｍ、さらに良くは４０〜１２０μｍの範囲であってもよい。
【００３６】
繊維の重さまたは番手は、しばしば、デニールまたはデシテックスで与えられ、糸９ｋｍ当たりの重さをグラムで表す。本発明による繊維は、たとえば、０．１〜１００デニール、好ましくは１〜７０デニール、さらに良くは５〜６０デニールの範囲で選択される番手を有する。
【００３７】
繊維は、織物の製造に使用される繊維であってもよく、特に、絹繊維、綿繊維、ウール繊維、亜麻繊維、詳細には木材、野菜、もしくは藻類から抽出されるセルロース繊維、レーヨン繊維、ポリアミド（Ｎｙｌｏｎ（登録商標））繊維、ビスコース繊維、アセテート繊維、特にレーヨンアセテート繊維、アクリルポリマー繊維、特にポリメタクリル酸メチル繊維もしくはポリ（メタクリル酸２−ヒドロキシエチル）繊維、ポリオレフィン繊維、および特にポリエチレンもしくはポリプロピレン繊維、ポリエチレンテレフタレート（ＰＥＴ）繊維、ポリブチレンテレフタレート（ＰＢＴ）繊維、ガラス繊維、シリカ繊維、炭素繊維、特に黒鉛形状の炭素の繊維、ポリテトラフルオロエチレン（Ｔｅｆｌｏｎ（登録商標）など）繊維、不溶性コラーゲン繊維、ポリエステル繊維、ポリ塩化ビニル繊維もしくはポリ塩化ビニリデン繊維、ポリビニルアルコール繊維、ポリアクリロニトリル繊維、キトサン繊維、ポリウレタン繊維、ポリエチレンフタレート繊維、または上述のポリマーなどのポリマーの混合物から形成される繊維、たとえば、ポリアミド／ポリエステル繊維であってもよい。
【００３８】
繊維は、人毛であってもよい。
【００３９】
さらに、繊維は、場合によっては表面処理され、場合によっては、保護層または繊維に色を与えることを目的とする層をコーティングされてもよい。
【００４０】
「カネカロン（Ｋａｎｅｋａｌｏｎ）」という商標の難燃性アクリル繊維を使用してもよい。
【００４１】
繊維は、たとえば、Ｍｉｎｋｅ−ｐｒｏｐｓ  ＳＫＩＮＴＥＸ  Ｆｌｏｃｋ  ｒｅｆ．  ５９０５０２という参照名の下で販売される繊維である。
【００４２】
同一の繊維、または変形態として、長さ、断面、材料、形状、および／もしくは断面が互いに異なる繊維の混合物を使用することが可能である。様々な長さの繊維の使用は、より自然らしさを与え得る。色の混合も同様であり得る。特定の実施形態では、アセンブリのアプリケータは、色が互いに異なる繊維の混合を留める。繊維の色は、系統的に、またはランダムに、混合されてもよい。繊維の異なる色または色の結合が、本発明の範囲から逸脱することなく実装され得る。透明な繊維、光沢のある繊維など、特殊効果を生み出す繊維もまた含まれる場合がある。これは、まつ毛に新しい美的効果を作り出すことができる。
接着剤組成物
【００４３】
本発明による接着剤組成物は、まつ毛およびまぶたへの塗布に、および化粧用途に好適である。
【００４４】
接着剤組成物は、接着材料を含む、またはそれから構成される。
【００４５】
本発明では、「材料」という用語は、異なる性質の１つまたは複数のポリマーを含む場合があるポリマーまたはポリマー系を意味する。この接着材料は、高分子溶液または溶剤中の高分子粒子の分散の形態であってもよい。この接着材料は、追加として可塑剤を含んでもよい。この接着材料は、その粘弾性特性によって定義されるいくらかの粘着性を有する必要がある。
【００４６】
本発明による接着材料は、たとえば、感圧接着剤、たとえば「Ｈａｎｄｂｏｏｋ  ｏｆ  Ｐｒｅｓｓｕｒｅ  Ｓｅｎｓｉｔｉｖｅ  Ａｄｈｅｓｉｖｅ  Ｔｅｃｈｎｏｌｏｇｙ」３ｒｄ  ｅｄｉｔｉｏｎ、Ｄ．  Ｓａｔａｓにおいて引用される感圧接着剤の中から選ばれてもよい。
【００４７】
接着材料は、アクリルポリマーまたはコポリマーの中から選ばれてもよい。
【００４８】
感圧接着材料は、アクリルポリマー、特にアクリレートおよびメタクリル酸塩のコポリマー、ゴムをベースとする、またはスチレンコポリマー、たとえばスチレン−イソプレン−スチレン（ＳＩＳ）およびスチレン−ブタジエン−スチレン（ＳＢＳ）コポリマーをベースとする感圧接着剤から選ばれてもよい。
【００４９】
感圧接着材料はまた、ウレタンポリマー、ポリウレタン、Ｂｉｏ−ＰＳＡなどのシリコーン、エチレン／酢酸ビニルポリマー、スチレンまたは天然ゴム、クロロプレン、ブタジエン、イソプレン、ネオプレンなどをベースとするブロックコポリマーであってもよい。
【００５０】
ゴム状ポリマーをベースとする感圧接着剤の非限定的な例として、特に、天然ゴム（ポリ（シス−１，４−イソプレン））、メタクリル酸メチル−イソプレングラフトコポリマー、スチレン−ブタジエンコポリマー、ブチルゴム、アクリロニトリル−ブタジエンゴム、スチレン−イソプレンブロックコポリマー、ポリブタジエン、エチレン−ブチレンブロックコポリマー、およびポリクロロプレンが言及され得る。
【００５１】
極性アクリルポリマーを含む感圧接着剤のうち、アクリル酸、アクリル酸アルキル、およびメタクリル酸アルキルをベースとするブロックまたは統計コポリマー、ならびに、これらのアクリルとエチレンおよび酢酸ビニルとのコポリマーも言及され得る。
【００５２】
好適であり得るアクリルコポリマーの例は、ＥＡＳＴＡＲＥＺ  ２０１０、２０２０、および２０５０（Ｅａｓｔｍａｎ  Ｃｈｅｍｉｃａｌ  Ｃｏ．）、ＡＣＲＯＮＡＬ  Ｖ２１０（ＢＡＳＦ）、ＭＯＷＩＬＩＴＨ  ＬＤＭ  ７２５５、ＲＥＶＡＣＲＹＬ  ４９１（Ｃｌａｒｉａｎｔ）、ならびにＦＬＥＸＢＯＮＤ  １６５（Ａｉｒ  Ｐｒｏｄｕｃｔｓ）というブランドで市販されている。アクリルコポリマーの好ましい例として、Ｄａｉｔｏｓｏｌ  ５５００ＧＭという名称でＤＡＩＴＯ  ＫＡＳＥＩ  ＫＯＧＹＯによって商品化されたアクリレーツ／アクリル酸エチルヘキシルコポリマーの使用を挙げてもよい。
接着剤組成物は、たとえば、Ａｍｅｒｉｃａｎ  Ｉｎｔｅｒｎａｔｉｏｎａｌ  Ｉｎｄｕｓｔｒｉｅｓによって商品化された、ＤＵＯ（登録商標）と呼ばれるまつ毛用の接着剤組成物、およびＤＡＩＴＯ  ＫＡＳＥＩ  ＫＯＧＹＯのＤａｉｔｏｓｏｌ  ５５００  ＧＭの中から選ばれてもよい。
【００５３】
好適であり得る高分子ゴムの商用例は、ＲＩＣＯＮ  １３０ポリブタジエン（Ａｔｏｆｉｎａ  Ｓａｒｔｏｍｅｒ）、およびＩＳＯＬＥＮＥ  ４０ポリイソプレン（Ｅｌｅｍｅｎｔｉｓ）というブランドで知られている。
【００５４】
好適であり得るポリウレタンベースの接着剤の例は、ＳＡＮＣＵＲＥ  ２１０４（Ｎｏｖｅｏｎ）およびＶＹＬＯＮ  ＵＲ  １４００（Ｔｏｙｏｂｏ  Ｖｙｌｏｎ）というブランドで入手可能である。
【００５５】
好適であり得る酢酸ビニルコポリマーの例は、ＰＶＰ／ＶＡ  ６−６３０（Ｉｎｔｅｒｎａｔｉｏｎａｌ  Ｓｐｅｃｉａｌｔｙ  Ｐｒｏｄｕｃｔｓ）およびＦＬＥＸＢＯＮＤ  １４９（Ａｉｒ  Ｐｒｏｄｕｃｔｓ）というブランドで市販されている。
【００５６】
ビニルアルコール／酢酸ビニルコポリマーの例は、ＣＥＬＶＯＬ  １０７（Ｃｅｌａｎｅｓｅ）およびＥＬＶＡＮＯＬ  ５０−４２（ＤｕＰｏｎｔ）というブランドで市販されている。
【００５７】
少なくとも１つのモノマー、またはその結果として生じるポリマーが、周囲温度（２５℃）よりも低いガラス転移温度を有するモノマーの組合せを含むブロックまたは統計コポリマーにも言及されてもよく、これらのモノマーまたはモノマーの組合せは、場合によっては、ブタジエン、エチレン、プロピレン、イソプレン、イソブチレン、シリコーン、およびこれらの混合物から選ばれる。そのような材料の例は、スチレン−ブタジエン−スチレン、スチレン−（エチレン−ブチレン）−スチレン、またはスチレン−イソプレン−スチレン型のブロックポリマーであり、たとえば、Ｋｒａｔｏｎから「Ｋｒａｔｏｎ」、またはＤｅｘｃｏ  Ｐｏｌｙｍｅｒｓから「Ｖｅｃｔｏｒ」という商標名で販売されているものである。
【００５８】
本発明による接着材料はまた、ロジンまたは水素化ロジン、ロジンエステル、水素化ロジンエステル、などのロジン誘導体、テルペン、脂肪族または芳香族炭化水素ベースの樹脂、フェノール樹脂、スチレン樹脂、およびクマロン−インデン樹脂など、粘着付与樹脂を含んでもよい。セラック、サンダラックゴム、ダマール樹脂、エレミゴム、コーパル樹脂、ベンゾイン、およびゴムマスティック（ｇｕｍ  ｍａｓｔｉｃ）などの化合物もまた言及される。
【００５９】
架橋ポリオルガノシロキサンポリマーであるシリコーン樹脂もまた言及され得る。
【００６０】
シリコーン樹脂の命名法は、「ＭＤＴＱ」という名称で知られており、樹脂は、それが含む様々なシロキサンモノマー単位に応じて記述され、Ｍ、Ｄ、Ｔ、およびＱの文字の各々が、単位のタイプを特徴づける。
【００６１】
これらの樹脂のうち、特に、化学式［（ＣＨ３）３ＸＳｉＸＯ］ｘＸ（ＳｉＯ４／２）ｙ（ＭＱ単位）の、ここでｘおよびｙは５０〜８０の範囲の整数である、トリメチルシロキシケイ酸であってもよい、シロキシケイ酸樹脂と、ＮＡＤとして知られる、ポリマー粒子の非水分散の形態の脂質分散性（ｌｉｐｏｄｉｓｐｅｒｓｉｂｌｅ）皮膜形成ポリマーとに言及され得る。
【００６２】
疎水性皮膜形成ポリマーの非水分散として、グラフト化エチレンポリマー、好ましくはアクリルポリマーの粒子の分散が、たとえば液体油相（ｌｉｑｕｉｄ  ｏｉｌｙ  ｐｈａｓｅ）において、液体脂肪相において分散された表面安定化された粒子の形態で、使用され得る。
【００６３】
表面安定化ポリマー粒子の分散は、特許文献２において説明されているように製造され得る。
【００６４】
特許文献３において説明されているように、アクリル（メタクリル）酸イソボルニル（ｉｓｏｂｏｒｎｙｌ  （ｍｅｔｈ）ａｃｒｙｌａｔｅ）ポリマーから選ばれた安定剤によって安定化されたＣ１〜Ｃ４アクリル（メタクリル）酸アルキル（ａｌｋｙｌ  （ｍｅｔｈ）ａｃｒｙｌａｔｅ）ポリマー粒子の分散もまた言及され得る。
【００６５】
ＵＶ反応型接着剤もまた使用され得る。
【００６６】
例では、Ｐｒｏｓ−Ａｉｄｅ（アクリルラテックス）Ｃｒｅａｍ  Ｂｌｅｎｄ  ３３１  Ａｄｈｅｓｉｖｅ、またはＡＱ１３５０  Ｅａｓｔｍａｎ  Ｃｈｅｍｉｃａｌ（スルホポリエステル可溶性ポリマー）接着剤が使用される。
接着剤組成物の塗布
【００６７】
接着剤組成物は、特にアプリケータ上の繊維の密度があまり高くないとき、まつ毛に連続膜として塗布され得る。
【００６８】
変形態では、接着剤組成物は、接着エリア間に非接着エリアを作ることによって塗布され、これは、まつ毛に取り付けられたままの繊維の密度および分布をコントロールする。
【００６９】
接着剤組成物を移すアプリケータが使用され得る。詳細には、本発明によるアセンブリは、まつ毛に接着剤組成物を塗布するための接着剤アプリケータを含んでもよい。そのような場合、接着剤アプリケータは、たとえば、植毛加工された末端部分を含む。接着剤アプリケータは、まつ毛の根元の形状と一致する形状を有してもよい。この具体的事例では、まつ毛の房毛の近くに接着剤アプリケータを近づけ、次いでまつ毛の根元に接着剤を置くために接触させるだけでよいので、仕草は簡単である。接着剤アプリケータはまた、たとえば、接着剤組成物を分配するペン、または接着剤組成物を収容する容器と連携するアプリケータ、たとえば、細いブラシもしくは植毛加工された熱可塑性先端部を備えたアプリケータを含んでもよい。
【図面の簡単な説明】
【００７０】
本発明は、その非限定的例示的実施形態の次の詳細な説明を読むことにより、また添付図面を調べることにより、よりよく理解できよう。
【図１】本発明による方法の連続するステップを示すブロック図である。
【図２】本発明による化粧品アセンブリの一例を概略的に遠近法によって表す図である。
【図３】まつ毛の上の房毛の一方が本発明による方法で処理されている、人の目およびまつ毛の写真である。
【図４Ａ】図１に示す方法の１ステップを実施する間の人の目を概略的に示す図である。
【図４Ｂ】図１に示す方法の１ステップを実施する間の人の目を概略的に示す図である。
【図４Ｃ】図１に示す方法の１ステップを実施する間の人の目を概略的に示す図である。
【図５】２つの繊維の間の距離の測定を概略的に示す図である。
【図６】繊維を保持し、外すためのアプリケータの一例を概略的に遠近法によって側面から表す図である。
【図７】繊維を保持する図６のアプリケータを部分的かつ概略的に遠近法によって側面から示す図である。
【図８】繊維を外す図６のアプリケータを部分的かつ概略的に遠近法によって側面から示す図である。
【図９】繊維を保持し、外すためのアプリケータの別の例を概略的に遠近法によって側面から表す図である。
【図１０】保持する位置の図９のアプリケータを部分的かつ概略的に遠近法によって側面から示す図である。
【図１１】外す位置の図９のアプリケータを、部分的かつ概略的に遠近法によって側面から示す図である。
【図１２】繊維を保持する図９のアプリケータを部分的かつ概略的に遠近法によって斜め前から示す図である。
【発明を実施するための形態】
【００７１】
本発明による方法は、図２に示す、本発明による（「キット」とも呼ばれる）アセンブリ５を用いて実施される。
【００７２】
アセンブリ５は、容器１３に入れられた接着剤組成物Ａと、つかみ部分１１を含むアプリケータ１０と、第１の末端部分２５でアプリケータ１０に保持された繊維１２とを含む。
【００７３】
接着剤組成物Ａは、たとえば、Ａｍｅｒｉｃａｎ  Ｉｎｔｅｒｎａｔｉｏｎａｌ  Ｉｎｄｕｓｔｒｉｅｓによって商品化されたＤＵＯ（登録商標）と呼ばれるまつ毛用の接着剤組成物、またはＤａｉｔｏｓｏｌ  ５５００  ＧＭと呼ばれるまつ毛用の接着剤組成物、すなわちＤＡＩＴＯ  ＫＡＳＥＩ  ＫＯＧＹＯによって商品化されたアクリレーツ／アクリル酸エチルヘキシルコポリマーの中から選ばれてもよい。別の便利な接着剤組成物が使用される場合もある。
【００７４】
容器１３は、ねじ山付きネック２１と、ねじ山付きネック２１と連携することによって容器を閉じるためのキャップ１５とを含み、キャップ１５は、接着剤アプリケータ１６を支持している。接着剤アプリケータ１６は、シャフト１７と、自由末端部にある塗布要素１８とを含む。拭き取り要素１９が、この例では、ネック２１の内側にはまる。塗布要素１８は、植毛加工された支持体であってもよい。塗布要素１８は、方法の第１のステップ１で使用されるために拭き取り要素１９を通過する前に、容器１３内の接着剤組成物Ａを装填される。
【００７５】
アプリケータ１０は、つかみ部分１１を含み、つかみ部分１１は表示した以外の他の形状を有する場合がある。繊維１２は、アプリケータ１０にそれの支持面３０上で結合された第１の末端部２５、または根元と、第２の自由末端部２６とを有する。
【００７６】
エラストマー、たとえば、０．０５０ｍｍの厚さを有する、（ＧＯＳＩＬＦＬＯという参照名の下で）ＭＯＮＡＤＥＲＭによって商品化された、ＳＩＬＦＬＯとして知られるエラストマーの層が、アプリケータの支持体上に広がっている。エラストマーの網状化の前に、繊維が、Ｃａｍｐｂｅｌｌ  Ｃｏｕｔｔｓ  ＬＴＤ  Ｃｏｍｐａｎｙ製のＭｉｃｒｏｆｌｏｃｋｅｒのような手動植毛加工デバイスによって実現される、静電植毛加工プロセスによって支持体上に植毛加工される。繊維は、摩擦によってエラストマーに捕らえられる。
【００７７】
図２に示すように、繊維１２は、アプリケータ１０による以外、互いにつながっていない。繊維１２は、個々に分離している。同じまつ毛に対して、同じ性質、直径、長さ、形状、もしくは色の繊維、または異なる性質、長さ、直径、形状、および／もしくは色の繊維を使用することが可能である。支持面３０の形状は、平面である、または平面ではない。本実施形態では、繊維１２は局部的に、それらを支える支持面３０に対して垂直に向けられている。
【００７８】
繊維の密度は、約２００  ｆｉｂｅｒｓ／ｃｍ２である。
【００７９】
繊維１２の根元で測定された、アプリケータ１０上の２つの隣接する繊維１２間の平均距離Ｄまたは間隔は、好ましくは１０μｍ〜２５０μｍである。距離の測定は、図５に示されている。各繊維１２は、断面で示され、この測定では円形状を有する。２つの隣接する繊維１２間の測定距離は、図のように、この例ではそれぞれ最小距離ａ、ｂ、およびｃである。平均距離Ｄは、すべての距離の平均として計算され、すなわち、Σｄが個々の距離の和であり、ｎが繊維の数であるとすると、Ｄ＝Σｄ／ｎである。この例では、Σｄ＝ａ＋ｂ＋ｃ、およびｎ＝３である。
【００８０】
アセンブリ５は、同じパッケージング、たとえば、箱、ブリスターパック、ケース、または小袋内で、使用者に提供されてもよい。一変形態では、アプリケータ１０および容器１３は、別個に消費者に提供される。
【００８１】
人の天然まつ毛に繊維１２を追加するための本発明による方法は、図１に示すように、少なくとも以下の連続する３つのステップを有する。
【００８２】
まつ毛の少なくとも一部、好ましくはそれの根元近くに接着剤組成物Ａを塗布することにある第１のステップ１が実施される。一実施形態では、まつ毛の一部のみ、たとえば、上の房毛の一部または全部が、処理に関係する。第１のステップ１は、図４Ａに示されている。接着剤組成物Ａを装填された塗布要素１８の先端部は、まつ毛Ｅの上の房毛のそれの根元で上面部分の最初の数ミリメートルと接触する。接着剤組成物Ａは、したがって、図４Ａおよび図４Ｂに示すように、まつ毛のそれの根元から最初の数ミリメートルにのみ、たとえば、まつ毛のそれの根元から最初の４ｍｍにのみ塗布される。
【００８３】
第２のステップ２において、アプリケータ１０によって支えられた繊維１２を、接着剤組成物Ａと接触させる。この第２のステップ２は、図４Ｂに示されている。アプリケータ１０が接着剤組成物Ａでコーティングされたまつ毛と接触させられるとき、繊維１２の第２の自由端部２６は、図４Ｂに示すように、接着剤組成物Ａと接触する。アプリケータ１０は、接着剤組成物Ａを載せたまつ毛Ｅと繊維１２を接触させることを可能にするために配置される。
【００８４】
使用者は、つかみ部分１１でアプリケータ１０を扱い、第２の自由末端部２６をまつ毛Ｅの接着剤組成物Ａコーティング部分と接触させる。アプリケータ１０は、好ましくは、まつ毛に接着された接着剤組成物Ａと繊維１２が接触するまで、図４Ｂに矢印で示す、実質的に接線方向の移動、すなわち、軽く触れる仕草によって近づけられる。この位置は、アプリケータ１０によって支えられた繊維１２の一部がまつ毛Ｅに接着するまで、数秒から数分維持されてもよい。
【００８５】
アプリケータ１０に繊維１２を保持するための保持力は、上記まつ毛Ｅにある接着剤組成物Ａに繊維を接着するための接着力よりも低いので、使用者は、第３のステップ３においてまつ毛からアプリケータ１０を離すことによって、まつ毛に接着する繊維を外すことを可能にする。この第３のステップ３は、図４Ｃに示されている。この例では、いくつかの繊維１２が、アプリケータ１０の支持面３０に残っている。他の繊維１２は、まつ毛Ｅの上の房毛Ｆ１に接着する。接着剤組成物Ａはまつ毛Ｅの根元から最初の数ミリメートルにのみ塗布されるので、繊維１２の第２の末端部２６を含む繊維１２の一部のみが、まつ毛に接着する。
【００８６】
本発明による方法は、少なくとも部分的には、まつ毛を処理する目を閉じているとき、実施され得ることに留意されたい。
【００８７】
結果は、図３に示され、左側のまつ毛の上の房毛Ｆ１は追加の繊維１２を施されているが、まつ毛の他の房毛、特に右側のまつ毛の上の房毛Ｆ２は施されていない（比較例）。得られた効果は、図のように極めて自然に見える。繊維１２は、上の房毛Ｆ１内のまつ毛に平行に置かれる。まつ毛に置いた後の繊維１２の長さは、たとえば０．５ｍｍ〜２０ｍｍである。
【００８８】
本発明は、示した実施形態に限定されない。
【００８９】
詳細には、変形態として、接着剤組成物Ａを入れる容器１３は、チューブ、瓶、加圧容器、被覆支持体、ポンプ−ディスペンサーボトルまたはポットなどのどんな容器であってもよく、このリストは限定的ではない。
【００９０】
繊維１２は、支持面３０に対する垂線と角度を作ってもよく、角度は４５°に達してもよい。
【００９１】
繊維は、アプリケータ１０に様々な方法で留められてもよく、たとえば、繊維を外すために構成を変えることができる機械システム、たとえばばねを用いて留められてもよい。
【００９２】
そのようなアプリケータ１０を、図６から図８に示す。
【００９３】
アプリケータ１０は、この例ではペンの形状を有し、アプリケータ１０の末端部４０でアプリケータ１０の縦軸Ｘに沿って伸びるばね３０を含む。ばね３０は、２つの構成、すなわち図７に示す留める構成と、図８に示す外す構成とを有する。留める構成では、繊維１２は、それらの第１の末端部分２５で、ばね３０のコイル３１の間に留められ、繊維１２は局部的に、ばね３０の縦軸Ｘに対して実質的に垂直である。ばね３０は、留める構成と外す構成との間で、アプリケータ１０の他方の末端部４１でプッシュボタン３４を作動させることによって手動で操作される。アプリケータ１０は、この例では、ばね３０の両末端部３７および３８の近くにそれぞれアバットメント３５および３６を有し、一方のアバットメント３５は、プッシュボタン３４を作動させると、縦軸Ｘに沿って移動可能であり、他方のアバットメント３６は動かない、すなわち、アプリケータの本体に対して固定される。
アプリケータ１０の別の例を、図９から図１２に表している。
【００９４】
この例では、ばね３０は、アプリケータ１０の縦軸Ｘに対して実質的に垂直である。ばね３０は、作動レバー４２および４３に、より正確には作動レバー４２および４３の末端部にそれぞれ取り付けられた２つの末端部３７および３８を含む。作動レバー４２および４３は、図１０（繊維なし）および図１２（繊維１２あり）に示す留める構成と、図１１（繊維なし）に示す外す構成との間で、手動で操作される。
【００９５】
本発明は、アプリケータ１０に繊維を留めるための特定のシステムに限定されず、ばね以外の、アプリケータに繊維を取り付ける付着力を変更することを可能にする、熱または化学的刺激などの刺激に反応するシステムが使用されてもよい。たとえば、重ね合わせられ、圧縮されると、繊維を締める円板または薄板のアセンブリが使用されてもよい。
【００９６】
繊維はまた、繊維が埋め込まれる材料を用いて、材料が流体状態である間、アプリケータに留められてもよい。
【００９７】
まつ毛の同じ房毛につけるために、異なる色の繊維１２が、系統的またはランダムに、アプリケータによって留められてもよい。
【符号の説明】
【００９８】
５  アセンブリ
１０  アプリケータ
１１  つかみ部分
１２  繊維
１３  容器
１５  キャップ
１６  接着剤アプリケータ
１７  シャフト
１８  塗布要素
１９  拭き取り要素
２１  ねじ山付きネック
２５  第１の末端部
２６  第２の自由末端部
３０  支持面／ばね
３１  コイル
３４  プッシュボタン
３５  アバットメント
３６  アバットメント
３７  末端部
３８  末端部
４０  末端部
４２  作動レバー
４３  作動レバー
【図１】
2020525663.tif 000003
【図２】
2020525663.tif 000004
【図３】
2020525663.tif 000005
【図４Ａ】
2020525663.tif 000006
【図４Ｂ】
2020525663.tif 000007
【図４Ｃ】
2020525663.tif 000008
【図５】
2020525663.tif 000009
【図６】
2020525663.tif 000010
【図７】
2020525663.tif 000011
【図８】
2020525663.tif 000012
【図９】
2020525663.tif 000013
【図１０】
2020525663.tif 000014
【図１１】
2020525663.tif 000015
【図１２】
2020525663.tif 000016
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
天然のまつ毛に繊維を追加するための美容処理方法であって、
ａ）  前記まつ毛の少なくとも一部に接着剤組成物（Ａ）を塗布するステップと、
ｂ）  アプリケータ（１０）によって支えられた繊維（１２）を、前記まつ毛上にある前記接着剤組成物（Ａ）と接触させるステップと、
ｃ）  前記まつ毛に接着する繊維（１２）を外すために、前記アプリケータ（１０）を前記まつ毛から離すステップと
を含む、方法。
【請求項２】
前記接着剤組成物（Ａ）が、ステップａ）において、連続的または不連続的に前記まつ毛の前記少なくとも一部に塗布される、請求項１に記載の方法。
【請求項３】
前記接着剤組成物（Ａ）が、ステップａ）において、好ましくは前記まつ毛の根元から、約０．１ｍｍ〜約１０ｍｍの範囲の前記まつ毛の長さにわたって、前記まつ毛に塗布される、請求項１または２に記載の方法。
【請求項４】
ステップｂ）が、繊維（１２）を前記まつ毛と接触させることによって行われ、前記繊維（１２）が、前記まつ毛に実質的に平行である、請求項１から３のいずれか一項に記載の方法。
【請求項５】
ステップｂ）が、まつ毛の上の房毛（Ｆ１）の上面部分または下側部分と繊維（１２）を接触させることによって行われ、ステップｂ）が好ましくは、前記接着剤組成物によって処理された、まつ毛の前記上の房毛（Ｆ１）の同じ部分と繊維（１２）を接触させることによって行われ、ステップｂ）が、特にまつ毛の前記上の房毛（Ｆ１）の前記上面部分と繊維（１２）を接触させることによって行われる、請求項１から４のいずれか一項に記載の方法。
【請求項６】
前記繊維（１２）が前記接着剤組成物（Ａ）に触れるまで、前記アプリケータ（１０）が、接線方向の移動で前記まつ毛に近づけられる、請求項１から５のいずれか一項に記載の方法。
【請求項７】
前記繊維（１２）が、前記アプリケータ（１０）上に繊維の束として配置される、請求項１から６のいずれか一項に記載の方法。
【請求項８】
前記繊維（１２）が、前記アプリケータ（１０）上で互いに実質的に平行である、請求項１から７のいずれか一項に記載の方法。
【請求項９】
前記繊維（１２）が、前記アプリケータ（１０）によって支えられるとき、前記アプリケータによる以外、互いにつながっていない、請求項１から８のいずれか一項に記載の方法。
【請求項１０】
天然のまつ毛に繊維（１２）を追加する美容処理のための、詳細には請求項１から９のいずれか一項において定義される方法を実施するための、アセンブリであって、
−  前記まつ毛に塗布される接着剤組成物（Ａ）と、
−  外すことができる繊維（１２）を留めるアプリケータ（１０）であって、繊維が前記接着剤組成物に接着できるように前記まつ毛に塗布された前記接着剤組成物と前記繊維を接触させること、および繊維を外すことを可能にする、アプリケータ（１０）と
を含む、アセンブリ。
【請求項１１】
前記アプリケータ（１０）が、互いに色が異なる繊維（１２）の混合を留める、請求項１０に記載のアセンブリ。
【請求項１２】
前記接着剤組成物（Ａ）を前記まつ毛に塗布するための接着剤アプリケータ（１６）を含み、前記接着剤アプリケータ（１６）が好ましくは植毛加工された末端部分を含む、請求項１０または１１に記載のアセンブリ。
【請求項１３】
前記アプリケータ（１０）が、互いに対して移動できる１つまたは複数の部分を含む機械システムを含み、前記機械システムが、繊維を留める構成から繊維を外す構成に移るように構成され、前記機械システムが好ましくは、それのコイル（３１）の間に前記繊維（１２）をつかむばね（３０）を含み、前記ばね（３０）が、手動で操作される作動レバー（４２、４３）に取り付けられた末端部（３７、３８）を含んでもよく、および／または前記ばね（３０）が好ましくは、前記アプリケータ（１０）の縦軸（Ｘ）である、前記ばね（３０）の縦軸（Ｘ）に沿って圧縮され、もしくはゆるめられ、前記アプリケータ（１０）が、プッシュボタン（３４）と、前記ばね（３０）の両末端部（３７、３８）近くの２つのアバットメント（３５、３６）とを有し、一方のアバットメント（３５）が、前記プッシュボタン（３４）を作動させると前記縦軸（Ｘ）に沿って移動可能であり、他方のアバットメント（３６）が動かない、請求項１０から１２のいずれか一項に記載のアセンブリ。
【請求項１４】
前記接着剤組成物（Ａ）が、感圧接着剤の中から選ばれた接着材料を含み、またはこれで構成され、および／または前記接着剤組成物（Ａ）が、アクリルポリマーもしくはコポリマー中から選ばれた接着材料を含む、またはこれで構成される、請求項１０から１３のいずれか一項に記載のアセンブリ。
【請求項１５】
前記接着剤組成物（Ａ）が、Ａｍｅｒｉｃａｎ  Ｉｎｔｅｒｎａｔｉｏｎａｌ  Ｉｎｄｕｓｔｒｉｅｓによって商品化された、ＤＵＯ（登録商標）と呼ばれるまつ毛用の前記接着剤組成物、およびＤＡＩＴＯ  ＫＡＳＥＩ  ＫＯＧＹＯ製のＤａｉｔｏｓｏｌ  ５５００  ＧＭの中から選ばれる、請求項１０から１４のいずれか一項に記載のアセンブリ。
【国際調査報告】
2020525663.tif 000017
2020525663.tif 000018